(57)【要約】【課題】食器棚，本棚，陳列棚等の種々の収納家具における上部にガイド輪を設け上部のガイドレールに沿って開閉移動を行う引戸において、引戸或いは家具本体側に僅かの製造上の不良が生じても、引戸の開閉時における脱輪を防止すること。【解決手段】引戸枠を構成する下部支持部材２と、該下部支持部材２に着脱自在で，且つほぼ水平面上を回動自在な下部ガイド輪８を備えた案内部Ｂ１　と、該案内部Ｂ１　とともに前記下部支持部材２に装着され，垂直面上を回動する押えロール１０と，該押えロール１０の高さ方向の位置を適宜に設定する押え部Ｂ２　とからなる下部ガイド体Ｂと、断面ほぼ門形状で，且つ前記下部ガイド輪８及び押えロール１０が遊挿される下部ガイドレール１８とからなること。該下部ガイドレール１８に対して前記下部ガイド体Ｂの押え部Ｂ２　にてロール高さ調節可能に設けること。【選択図】　　　図１
2004100400.tif 000002
【特許請求の範囲】
【請求項１】
引戸枠を構成する下部支持部材と、該下部支持部材に着脱自在で，且つほぼ水平面上を回動自在な下部ガイド輪を備えた案内部と、該案内部とともに前記下部支持部材に装着され，垂直面上を回動する押えロールと，該押えロールの高さ方向の位置を適宜に設定する押え部とからなる下部ガイド体と、断面ほぼ門形状で，且つ前記下部ガイド輪及び押えロールが遊挿される下部ガイドレールとからなり、該下部ガイドレールに対して前記下部ガイド体の押え部にてロール高さ調節可能に設けてなることを特徴とする引戸装置。
【請求項２】
請求項１において、請求項１において、前記押え部は、押えベースに螺合されて上下方向に移動する調整螺子軸とからなるロール高さ調整部と、揺動軸受部とからなり、前記押えロールは前記揺動軸受部にてを軸支されるとともに前記調整螺子軸にて上下方向に揺動することを特徴とする引戸装置。
【請求項３】
請求項１又は２において、前記案内部と押え部とは一体として連結形成されてなることを特徴とする引戸装置。
【請求項４】
請求項１又は２において、前記案内部と押え部とは分離した別体として形成されてなることを特徴とする引戸装置。
【発明の詳細な説明】
【０００１】
【発明の属する技術分野】
本発明は、食器棚，本棚，陳列棚等の種々の収納家具における上部にガイド輪を設け上部のガイドレールに沿って開閉移動を行う引戸において、引戸或いは家具本体側に僅かの製造上の不良が生じても、引戸の開閉時における脱輪を防止することができる引戸装置に関する。
【０００２】
【従来の技術】
従来より、食器棚，本棚，陳列棚等の種々の収納家具には、ガラス窓を備えた引戸が装着されることが多い。この引戸は、小さい開口の収納家具であれば、開口箇所の上下にガイドレールが形成され、ガラス板の上下端部がその上下両ガイドレールに挿入された極めて簡単な構造のものでよい。しかし、比較的大きな収納家具では、引戸自体も大型となり、引戸の自重も大きくなって、開閉時にその引戸を移動させるのに大きな力が必要である。この種の引戸では、下記特許文献１に図示されたように、枠体上部にガイド輪を設け、ガイドレール上を転動して開閉移動が行われるものが好適である。このようなガイド輪による引戸では、引戸自体の重量が重くても、比較的スムーズに開閉動作を行うことができるからである。
【０００３】
【特許文献１】
特開２００２−１３８７３９号
【０００４】
【発明が解決しようとする課題】
上述した特許文献１に見られるような引戸装置において、操作が極めて良好である反面、その組付精度が高く、正確でなければ、その動作は極めてぎこちないものになりかねない。特に、引戸の枠自体が不正確に組み立てられている場合、たとえば枠体の上枠材と下枠材等が平行でなく、枠体がねじれた状態にあると、たとえガイド輪が具備された引戸であっても、引戸はスムーズに動作せず、図８に示すように、引戸Ａが移動方向に沿って角度θだけ傾いてしまうことがある。
【０００５】
このような状態になると、ガイドレールを転動するガイド輪はガイドレールから浮いた状態になってしまい、脱輪するおそれがある。また、引戸Ａが移動中に傾くことがなくとも、ガイド輪にはガイドレールの方向以外に荷重がかかり、やはり脱輪の原因となる。そして、一旦，引戸Ａが脱輪した場合には、引戸Ａ自体の重量が極めて重い場合には、ガイド輪をガイドレールに戻すことは極めて困難となり、専門家でないと修理できないものである。本発明の目的は、引戸Ａの枠体が不正確に組み立てられたものであっても、ガイド輪がガイドレールから脱輪しないようにすることにある。
【０００６】
【課題を解決するための手段】
そこで、発明者は、上記課題を解決すべく、鋭意，研究を重ねた結果、本発明を、引戸枠を構成する下部支持部材と、該下部支持部材に着脱自在で，且つほぼ水平面上を回動自在な下部ガイド輪を備えた案内部と、該案内部とともに前記下部支持部材に装着され，垂直面上を回動する押えロールと，該押えロールの高さ方向の位置を適宜に設定する押え部とからなる下部ガイド体と、断面ほぼ門形状で，且つ前記下部ガイド輪及び押えロールが遊挿される下部ガイドレールとからなり、該下部ガイドレールに対して前記下部ガイド体の押え部にてロール高さ調節可能に設けてなる引戸装置としたことにより、食器棚，本棚，陳列棚等の種々の収納家具における上部にガイド輪を設け上部のガイドレールに沿って開閉移動を行う引戸において、引戸或いは家具本体側に僅かの製造上の不良が生じても、引戸の開閉時における脱輪を防止することができ、上記課題を解決したものである。
【０００７】
【発明の実施の形態】
以下、本発明の第１実施形態を図面に基づいて説明する。引戸装置は、図７に示すように、２つ以上の引戸から構成されるが、その引戸装置が装着される家具などによっては、引戸が一つの場合もありうる。本発明では、その引戸の構造は１つの場合でも２つの場合でもほとんど変わりはないので、ここでは引戸が２つで１組として使用される場合について説明する。まず、２つの引戸のうち、その一つを第１引戸Ａ１　称し、他方を第２引戸Ａ２　と称する。また、その第１引戸Ａ１　と第２引戸Ａ２　とは、その構造はほぼ同一であるので、第１引戸Ａ１　を中心にして説明する。
【０００８】
その第１引戸Ａ１　は、図７（Ａ），（Ｂ）に示すように、上部支持部材１と，下部支持部材２と，縦支持部材３，３と、面板４とからなる。そして、前記上部支持部材１には、その幅方向両側箇所に２つの上部ガイド輪５，５が揺動部材６，６を介して左右対称に装着される。また、揺動部材６は、ガイド輪支持片１ｃに枢支連結されている。その上部ガイド輪５は、プーリタイプであり、外周に沿って案内溝が形成されたものである。そして、上部ガイド輪５が上部ガイドレール上を転動するときには、その溝に上部ガイドレールが挿入するようになっている。なお、面板４としては、ガラス，アクリル等の透明板或いは木板，金属板等の化粧板等である。
【０００９】
下部支持部材２は、図１（Ｂ），（Ｃ）に示すように、面板４の下端箇所を支持する溝状の面板支持部２ａが形成され、該面板支持部２ａから下部ガイド片２ｂが形成されている。下部ガイド片２ｂは、その上方から見た平面形状においてその幅方向両側箇所が正方形又は長方形等の方形状に切除された被装着部２ｂ１　，２ｂ１　が形成されている。両被装着部２ｂ１　，２ｂ１　には、それぞれ下部ガイド体Ｂ，Ｂが装着される。
【００１０】
該下部ガイド体Ｂは、図１（Ａ），図２（Ａ），（Ｃ）及び図５等に示すように、案内部Ｂ１　及び押え部Ｂ２　から構成される。案内部Ｂ１　と押え部Ｂ２　とは、後述するように一体的に連続形成されたり、或いは案内部Ｂ１　と押え部Ｂ２　とがそれぞれ別材として単独に構成されて一組としたものも存在する。まず、案内部Ｂ１　と押え部Ｂ２　とが一体的に形成されたもについて説明する。その案内部Ｂ１　は、下部ガイド輪８とガイドベース９とから構成され、該ガイドベース９に下部ガイド輪８が水平面上を回動自在に装着されている。また、ガイドベース９は略長方形状をなしており、上面板９ａと下面板９ｂとが側板９ｃにて連結されたものである。また上面板９ａに前記下部ガイド輪８が装着されている。
【００１１】
前記上面板９ａと下面板９ｂとは、図２（Ｂ）に示すように、近接しており、これらと前記側板９ｃとで、ガイドベース９の断面形状がほぼコ字形状に形成される。そして、前記上面板９ａと下面板９ｂとで、図１（Ｂ）に示すように、被装着部２ｂ１　が形成された下部ガイド片２ｂの肉厚部を挟持してクリップ状に固着される。また、上面板９ａ又は下面板９ｂには、必要に応じて係止片９ｄが形成され、且つ前記下部ガイド片２ｂの被装着部２ｂ１　箇所には前記係止片９ｄと係止する被係止部２ｂ２　が形成される。前記係止片９ｄは凸形状で、また被係止部２ｂ２　は、図４（Ａ）に示すように、溝形状又は凹形状としたもので、相互に係止しあう構造である。
【００１２】
つぎに、押え部Ｂ２　は、上下方向に移動自在で垂直面上を回動する押えロール１０と，該押えロール１０の高さ方向の位置を適宜に設定するロール高さ調整部１１とを設けたものである。該ロール高さ調整部１１は、図３（Ａ），（Ｂ）に示すように、押えベース１１ａと調整螺子軸１１ｂとから構成されている。前記押えベース１１ａは、前記ガイドベース９と一体的に連続形成されている。そして前記押えベース１１ａには、揺動する揺動軸受部１２が装着され、該揺動軸受部１２には、押えロール１０が回動自在に軸支されている。まず前記揺動軸受部１２は、図４（Ａ）に示すように、幅方向両側に腕状部１２ａ，１２ａが平行となるように配置され、両腕状部１２ａ，１２ａが被当接片１２ｃにより連結されたものである。
【００１３】
その両腕状部１２ａ，１２ａは、ほぼ長円形状又は楕円形状をなし、その一端側が押えベース１１ａに突起又はピン等で枢支連結される。また他方側には押えロール１０が突起又はピンにて枢支連結されている。また前記被当接片１２ｃは前記押えベース１１ａの上面側に当接することにより、図３（Ａ）に示すように、揺動軸受部１２は、押えベース１１ａに対して水平状の位置となるように設定される。さらに、前記押えベース１１ａには、調整螺子軸１１ｂが押えベース１１ａに形成された内螺子部１１ａ１　に螺合され、図３（Ｂ）に示すように、調整螺子軸１１ｂが押えベース１１ａに対して上下方向に移動自在となるように螺合されている。
【００１４】
前記内螺子部１１ａ１　は、前記押えベース１１ａの上下方向に貫通して形成され、該押えベース１１ａの下面側から調整螺子軸１１ｂを回動させることができる。その調整螺子軸１１ｂの軸上端は、前記被当接片１２ｃに当接するようになっており、その調整螺子軸１１ｂの上方移動により前記揺動軸受部１２の被当接片１２ｃが突き上げられて、揺動軸受部１２が押えベース１１ａとの枢支箇所を揺動中心として上昇し、前記押えロール１０の上下位置を適宜設定することができる。その押えロール１０は、後述する下部ガイドレール１８の頂面部を適正な押圧力で押圧するものであり、前記上部ガイド輪５，５と上部ガイドレール１６との間に押圧力が作用するようにしている。
【００１５】
次に、第２引戸Ａ２　は、前記第１引戸Ａ１　と略同様の構成であり、その構成部材も同様であり、同一名称及び同一符号が使用される。第２引戸Ａ２　は、上部支持部材１と，下部支持部材２と，縦支持部材３，３と、面板４とからなる。そして、前記上部支持部材１には、２つの上部ガイド輪５，５が装着され、下部支持部材２には、第１引戸Ａ１　に装着されたものと同様の下部ガイド体Ｂが装着されるものである。
【００１６】
なお、図示された実施形態は、引戸が第１引戸Ａ１　と第２引戸Ａ２　の二枚の引戸から構成されたものであるが、この実施形態に限定されることなく、引戸が一つから構成される場合もある。引戸が一枚から構成されるものでは、前記上部ガイドレール１６のレール部は一本のみでよい。また、引戸が３枚から構成される場合もあり、この場合には、上部ガイドレール１６には３本のレール部が形成されることになる。
【００１７】
第２引戸Ａ２　に装着される揺動部材６及び上部ガイド輪５，５等の装着構造は、前記第１引戸Ａ１　とほぼ同様の構成である。なお、図７（Ａ），（Ｂ）に示すように、第２引戸Ａ２　の枠体は、前記第１引戸Ａ１　の枠内の内部に納まるサイズ及び形状となっており、第２引戸Ａ２　の上部支持部材１及び下部支持部材２は、第１引戸Ａ１　よりも部分的にサイズが少し小さくなっている。また、図７（Ａ）に示すように、前記第１引戸Ａ１　と前記第２引戸Ａ２　のそれぞれの上部ガイド輪５，５同士は、相互に干渉しないように設置される。
【００１８】
次に、上部ガイド枠材Ｃは、図７（Ｂ）に示すように、上部ケーシング１５と、　上部ガイドレール１６とから構成され、上部ケーシング１５に上部ガイドレール１６が装着されている。また、下部ガイド枠材Ｄは、下部ケーシング１７と下部ガイドレール１８とから構成されている。その下部ケーシング１７は、下部ガイドレール１８が装着され、前記上部ケーシング１５及び下部ケーシング１７が家具本体２０の収納開口部２１の上下にそれぞれ装着される。
【００１９】
上部ケーシング１５は上部ガイドレール１６を隠す役目をなしており、外面側は、化粧仕上げにすることが好適である。その上部ケーシング１５は、形鋼でありアルミ引き抜き加工によって成形されることが、製造性及び耐久性等の観点から好ましい。上部ガイドレール１６は、突出条タイプであり、前記プーリタイプの上部ガイド輪５に対応するものである。具体的に上部ガイドレール１６は、断面略半円形状に形成されたものである。
【００２０】
次に、下部ガイド枠材Ｄは、図１（Ｂ），（Ｃ）に示すように、下部ケーシング１７と下部ガイドレール１８とから構成されている。その下部ケーシング１７は、下部ガイドレール１８を隠す役目をなしている。そして、下部ケーシング１７の下面側に下部ガイドレール１８が装着される。また下部ガイドレール１８は、断面略下向き門形状をなし、下方に開口し且つ長手方向に溝形状となるガイド溝１８ａが形成されている。該下部ガイドレール１８には前記下部ガイドレール１８の下部ガイド輪８及び押えロール１０が遊挿するものである。前記ガイド溝１８ａは、第１引戸Ａ１　及び第２引戸Ａ２　に合わせて２本形成されている。
【００２１】
本発明の第２実施形態としては、前記下部ガイド体Ｂにおいて、図５（Ａ），（Ｂ）に示すように、案内部Ｂ１　と押え部Ｂ２　とが分離した別体として形成されたものである。この実施形態では、前記案内部Ｂ１　には、第１実施形態と同様に、上面板９ａ，下面板９ｂ及び側板９ｃからなるガイドベース９が存在し、これがクリップ状の役目をなしている。このガイドベース９とほぼ同様の構造とした装着部１３が押え部Ｂ２　に形成されている。その装着部１３は、前記上面板１３ａと下面板１３ｂ及び側板１３ｃとからなり、これが前記ガイドベース９と同様にクリップ状の役目をなしており、前記下部支持部材２の下部ガイド片２ｂの肉厚部をクリップ状に挟持することにより、押え部Ｂ２　が下部ガイド片２ｂに固着される。この場合には、下部ガイド片２ｂの被装着部２ｂ１　は、図６に示すように、凹形状の切欠をなしており、その対向する縁に案内部Ｂ１　及び押え部Ｂ２　が対向するようにして装着されている。また、前記案内部Ｂ１　と別材とした押え部Ｂ２　は、前記案内部Ｂ１　に近接して装着されることが好ましい。
【００２２】
【作用】
引戸（第１引戸Ａ１　及び第２引戸Ａ２　）の上部ガイド輪５，５が上部ガイドレール１６に案内されるように配置され、下部ガイドレール１８には、案内部Ｂ１　の下部ガイド輪８と押え部Ｂ２　の押えロール１０がそれぞれ遊挿されている。前記下部ガイド輪８は、引戸の下部における移動時の案内の役目をなす。前記押え部Ｂ２　のロール高さ調整部１１に螺合された調整螺子軸１１ｂを下部支持部材２の下面側より、ドライバ等の工具にて回転させ、その調整螺子軸１１ｂの軸頂部にて揺動軸受部１２を上昇させ、図１（Ｃ）に示すように、押えロール１０を下部ガイドレール１８の頂部に適正な圧力にて押さえ付ける。
【００２３】
一方、第１引戸Ａ１　又は第２引戸Ａ２　が開き方向又は閉じ方向に移動する際に組付けの不具合等の何らかの原因により、図８に示すように、その引戸が移動方向に対して微小角度θ傾いたときに、上部ガイド輪５が上部ガイドレール１６から浮き上がろうとし、脱輪のおそれが生じるものである。そこで前記押えロール１０の下部ガイドレール１８の頂部への適正な押圧力により、図６（Ｂ）に示すように、上部ガイド輪５，５側は上部ガイドレール１６に対して常時適正な圧力をかけて転動することができ、上部ガイドレール１６から浮き上がったり、外れることなく引戸の移動ができるものである。
【００２４】
【発明の効果】
請求項１の発明は、引戸枠を構成する下部支持部材２と、該下部支持部材２に着脱自在で，且つほぼ水平面上を回動自在な下部ガイド輪８を備えた案内部Ｂ１　と、該案内部Ｂ１　とともに前記下部支持部材２に装着され，垂直面上を回動する押えロール１０と，該押えロール１０の高さ方向の位置を適宜に設定する押え部Ｂ２　とからなる下部ガイド体Ｂと、断面ほぼ門形状で，且つ前記下部ガイド輪８及び押えロール１０が遊挿される下部ガイドレール１８とからなり、該下部ガイドレール１８に対して前記下部ガイド体Ｂの押え部Ｂ２　にてロール高さ調節可能に設けてなる引戸装置としたことにより、引戸の上部ガイド輪５，５が上部ガイドレール１６から脱輪することを防止でき、且つその構造を極めて簡単なものにすることができる。
【００２５】
上記効果を詳述すると、下部ガイド体Ｂの案内部Ｂ１　は、ほぼ水平面上を回動自在な下部ガイド輪８を備えたものであり、押え部Ｂ２　は上下方向に移動自在で垂直面上を回動する押えロール１０と，該押えロール１０の高さ方向の位置を適宜に設定するロール高さ調整部１１とを設けたものである。この案内部Ｂ１　と押え部Ｂ２　とが前記下部支持部材２に装着され、押えロール１０の高さを適宜の位置に調節することで、その押えロール１０を断面ほぼ門形状とした下部ガイドレール１８の頂部に押さえつけるように設定することができる。
【００２６】
そして、その押えロール１０の適正な押圧力が上部ガイド輪５，５に伝わり、上部ガイド輪５，５が上部ガイドレール１６に対して適正な圧力で当接しつつ、転動することができる。これによって脱輪を防止し、且つ脱輪しにくい構造とすることができるものである。
【００２７】
請求項２の発明は、請求項１において、前記押え部Ｂ２　は、押えベース１１ａに螺合されて上下方向に移動する調整螺子軸１１ｂとからなるロール高さ調整部１１と、揺動軸受部１２とからなり、前記押えロール１０は前記揺動軸受部１２にてを軸支されるとともに前記調整螺子軸１１ｂにて上下方向に揺動する引戸装置としたことにより、その押えロール１０の高さ位置の調整を調整螺子軸１１ｂにて簡単に行うことができ、調整作業の効率化を図ることが出来る。
【００２８】
上記効果を詳述すると、押えロール１０は揺動軸受部１２により軸支されており、また前記揺動軸受部１２は調整螺子軸１１ｂにて、上下方向に適宜の高さ位置に調整することができる。すなわち調整螺子軸１１ｂを回動させるのみで、極めて簡単に調整することができる。また螺合された調整螺子軸１１ｂは、微小な移動が可能であり、これによって、前記押えロール１０の下部ガイドレール１８との微妙な当接圧の調整が可能となり、引戸の移動動作を最良の状態にすることができる。
【００２９】
請求項３の発明は、請求項１又は２において、前記案内部Ｂ１　と押え部Ｂ２　とは一体として連結形成されてなる引戸装置としたことにより、案内部Ｂ１　と押え部Ｂ２　とが一体の下部ガイド体Ｂとすることにより、組付時の作業効率を向上させることができる。
【００３０】
請求項４の発明は、請求項１又は２において、前記案内部Ｂ１　と押え部Ｂ２　とは分離した別体として形成されてなる引戸装置としたことにより、案内部Ｂ１　と押え部Ｂ２　とを引戸にそれぞれ別々に装着することができ、案内部Ｂ１　又は押え部Ｂ２　の耐久性及び寿命が異なる場合には、いずれか一方が消耗した場合には、その消耗した部位のみを取り替えればよく、保守，管理及び維持性が極めて良好である。
【図面の簡単な説明】
【図１】（Ａ）は本発明の第１実施形態における下部支持部材に装着された下部ガイド体と下部ガイド枠材との構成を示す一部断面とした正面図
（Ｂ）は（Ａ）のＸ１　−Ｘ１　矢視断面図
（Ｃ）　は（Ａ）のＸ２　−Ｘ２　矢視断面図
【図２】（Ａ）は第１実施形態における下部ガイド体の正面図
（Ｂ）は（Ａ）の側面図
（Ｃ）　は（Ａ）の平面図
【図３】（Ａ）は押え部において押えロールが最も低位置の状態の要部縦断正面図
（Ｂ）は押え部において押えロールが最も高位置の状態の要部縦断正面図
【図４】（Ａ）は第１実施形態における下部ガイド体及び下部支持部材の斜視図
（Ｂ）は下部ガイド体の押えロールを高位置にした斜視図
（Ｃ）は下部支持部材に下部ガイド体が装着された斜視図
【図５】（Ａ）は第２実施形態における下部ガイド体の案内部の斜視図
（Ｂ）は第２実施形態における下部ガイド体の押え部の斜視図
【図６】第２実施形態における下部ガイド体を下部支持部材に装着した状態の斜視図
【図７】（Ａ）は引戸装置の縦断側面図
（Ｂ）は（Ａ）の要部拡大縦断側面図
【図８】引戸が開閉時に傾いた状態の略示図
【符号の説明】
Ｂ１　…案内部
Ｂ２　…押え部
２…下部支持部材
８…下部ガイド輪
１０…押えロール
１１…ロール高さ調整部
１１ａ…押えベース
１１ｂ…調整螺子軸
１８…下部ガイドレール
【図１】
2004100400.tif 000003
【図２】
2004100400.tif 000004
【図３】
2004100400.tif 000005
【図４】
2004100400.tif 000006
【図５】
2004100400.tif 000007
【図６】
2004100400.tif 000008
【図７】
2004100400.tif 000009
【図８】
2004100400.tif 000010